(57)【要約】【課題】  本発明の目的は、住宅内各所の環境データをセンサによりサンプリングし、そのサンプリングされたデータを解析することによって、現在住宅に発生している問題点を洗い出して住宅のメンテナンスに利用することが可能な住宅モニタリングシステム、モニタリングデータ管理装置、モニタリングデータ管理方法を提供することにある。【解決手段】  本発明は、住宅内の環境を示すデータを蓄積し、蓄積されたデータを解析することによって、住宅の環境情報を把握するための住宅モニタリングシステムに関する。  センサ付非接触式無線通信デバイス１２と、センサ付非接触式無線通信デバイス１２からデータを受信して格納すると共に、要求に応じて格納されたデータを送信する管理装置２１と、管理装置２１よりデータを受信する端末装置２２と、を備え、端末装置２２は、管理装置２１から受信した前記データを解析する解析手段を備える。【選択図】図１
2006243979.tif 000002
【特許請求の範囲】
【請求項１】
住宅内の環境を示すデータを取得及び蓄積し、蓄積された前記データを解析することによって、住宅の環境情報を把握するための住宅モニタリングシステムであって、
前記データを取得するためのセンサを備えると共に、前記センサから取得したデータを出力するセンサ付非接触式無線通信デバイスと、
該センサ付非接触式無線通信デバイスから前記データを受信して格納すると共に、要求に応じて格納された前記データを出力する管理装置と、
該管理装置へデータ送信を要求し、前記管理装置より前記データを受信する端末装置と、を備え、
該端末装置は、前記管理装置から受信した前記データを解析する解析手段を備えることを特徴とする住宅モニタリングシステム。
【請求項２】
前記データは、前記センサ付非接触式無線通信デバイスから前記管理装置へ、定期的に送信されることを特徴とする請求項１に記載の住宅モニタリングシステム。
【請求項３】
前記センサ付非接触式無線通信デバイスには、固有のＩＤが割付けられており、
前記ＩＤをキーとして識別されることを特徴とする請求項１に記載の住宅モニタリングシステム。
【請求項４】
前記住宅モニタリングシステムには、前記センサ付非接触式無線通信デバイスから送信される前記データを受信すると共に、前記管理装置へ送信する中継手段が備えられていることを特徴とする請求項１に記載の住宅モニタリングシステム。
【請求項５】
前記住宅内の環境とは、温度、含水率、湿度、結露、ＶＯＣから選択される少なくとも一つであることを特徴とする請求項１に記載の住宅モニタリングシステム。
【請求項６】
前記解析手段は、予め設定された基準値と前記データとを比較する処理、前記データを演算した結果と予め設定された基準値とを比較する処理、前記データの経時間変化を作成する処理、のうち少なくとも一つの処理を行うことを特徴とする請求項１に記載の住宅モニタリングシステム。
【請求項７】
住宅内の環境を示すデータを蓄積し、前記データの送受信を行うための管理装置であって、
該管理装置の動作を規定したプログラムを格納すると共に、前記データを格納する記憶装置と、
該記憶装置に格納された前記プログラムに従って処理を行う中央演算処理装置と、を少なくとも備え、
前記データを取得するためのセンサを備えると共に、前記センサから取得した前記データを出力するセンサ付非接触式無線通信デバイスから、前記データを受信する受信手段と、
外部から指定された条件に応じて前記データを加工する加工手段と、該加工手段により加工されたデータを外部へ送信する送信手段と、を備えたことを特徴とする住宅モニタリングデータ管理装置。
【請求項８】
前記条件は、日時を特定する情報、日時の範囲を特定する情報、住宅を特定する情報、前記センサ付非接触式無線通信デバイスを特定する情報、全ての前記データを指定する情報、から選択される少なくとも一つの情報であることを特徴とする請求項７に記載の住宅モニタリングデータ管理装置。
【請求項９】
住宅内の環境を示すデータを取得及び蓄積し、蓄積された前記データを解析することによって、住宅の環境情報を把握するための住宅モニタリング方法であって、
前記データを取得するためのセンサを備えると共に、前記センサから取得したデータを出力するセンサ付非接触式無線通信デバイスと、該センサ付非接触式無線通信デバイスから前記データを受信して格納すると共に、要求に応じて格納された前記データを出力する管理装置と、該管理装置へデータ送信を要求し、前記管理装置より前記データを受信する端末装置と、を少なくとも備え、
前記センサ付非接触式無線通信デバイスが、前記データを取得し、前記管理装置に前記データを出力するデータ取得工程と、
前記管理装置が、前記データを受信するデータ受信工程と、
前記管理装置が、前記端末装置からの送信要求に応じて、前記データを前記端末装置へ出力するデータ送信工程と、
前記端末装置が、前記データを受信して、前記データを解析する解析工程と、を備えたことを特徴とする住宅モニタリング方法。
【請求項１０】
前記データ取得工程は、
前記センサ付非接触式無線通信デバイスが、前記データを取得する工程と、
前記非接触式無線通信デバイスから送信される前記データを受信すると共に前記管理装置へ送信する中継手段が、前記センサ付非接触式無線通信デバイスより前記データを受信する工程と、
前記中継手段が、前記管理装置に前記データを送信する工程と、を備えることを特徴とする請求項９に記載の住宅モニタリング方法。
【発明の詳細な説明】
【技術分野】
【０００１】
本発明は、住宅の環境を示すデータを取得し、住宅の状況を判定することが可能な住宅モニタリングシステム、モニタリングデータ管理装置、モニタリングデータ管理方法に係り、特に住宅内各所に設けられたセンサから住宅内の環境を示すデータを定期的に収集し、収集したデータを管理者に送信して解析することにより、住宅の状態を判定することが可能な住宅モニタリングシステム、モニタリングデータ管理装置、モニタリングデータ管理方法に関する。
【背景技術】
【０００２】
近年、センサ技術及びＩＴ技術の向上により、住宅内及び家電機器等にセンサを設置し、センサから送信された情報を利用して、住宅内の状況を検知したり、各種家電機器の中央集中管理を実施する技術が知られている（例えば、特許文献１、特許文献２参照）。
【０００３】
【特許文献１】特開２００２−１４０７７４号公報（第３頁乃至第５頁、図２）
【０００４】
【特許文献２】特開２００３−１７４６８６号公報（第５頁乃至第６頁、図１）
【０００５】
特許文献１の住宅管理方法は、住宅に建物の環境変化を測定するセンサ群を設けて、住宅の経年変化や自然災害による住宅の構造変化を監視して、異常を発見するためのシステムである。
特許文献１の住宅管理方法によると、建物にセンサ用光ファイバを設置して、センサの検出信号をホストコンピュータに送信する。ホストコンピュータが受信した検出信号は、ホストコンピュータ内の監視部において、過去の検出信号と比較され、変化が著しければ、何らかの事故が発生したと判断して住宅の所有者等に警報を発する。
特許文献２の集中情報管理システムは、遠隔制御を活用してマルチメディア対応の多数の宅内情報機器を集中管理するためのシステムである。特許文献２の集中情報管理システムにおいては、温度センサ等のセンサからの測定値は、集中制御監視手段に送信される。
各種センサから受信した測定値は、基準値と比較処理されて各種家電機器の集中管理に利用される。例えば、温度センサから送信されてきた温度データは、温度基準値と比較されて、集中冷暖房システムの自動調整のために利用される。
【発明の開示】
【発明が解決しようとする課題】
【０００６】
しかしながら、特許文献１に記載の住宅管理方法においては、各センサが検出するデータは住宅に発生した異常を検知して警報を発するためのものであり、特許文献２の集中情報管理システムにおいては、各種センサが検出するデータは、家電機器等の集中管理を行うためのものである。そのため、各種センサが検出したデータは、住宅の状態を診断したり、住宅のメンテナンスに利用されるためのものではなかった。
また、このような利用形態であるため、これらの各種センサが検出したデータは、長期的に蓄積されるものではなかった。
【０００７】
一般的に、住宅竣工後には、住宅建築販売メーカーのメンテナンス担当者等により、定期的に点検が行われている。
しかし、このような定期点検時には、壁紙の状態、屋根の状態、床の状態等、外観的に検査可能である項目は点検されるが、外観的に検査不可能である項目に関しては点検が困難であるとともに、床下、天井裏等、容易に点検することができない場所も存在する。
【０００８】
例えば、床下や天井裏等は点検が困難な場所であるが、これらの部分が高湿度状態であれば、住宅の老朽化が早まる。
このような場所では、温度・湿度等の経時変化を把握することができれば、問題が起こっているか否かを簡易に把握することができる。
また、問題が生じていることを認識することができれば、例えば、ダクトをつけることにより温度・湿度を調整する等の対策を講じることができ、家屋の老朽化の促進を防止することができる。
また、内壁部分の温度の経時変化を把握することができれば、気温との差の変化を把握することができるため、結露の発生状態を推測することができる。
このため、換気の必要性やカビ発生の警告等、顧客へ必要なアドバイスを行うことができる。
しかし、特許文献１及び特許文献２の技術では、各種センサが検出するデータを解析するとともに、定期点検時に、顧客へ住宅管理に必要なアドバイスを行うための定期的かつ長期的なデータの蓄積が実現されていない。
【０００９】
また、特許文献１及び特許文献２の技術では、各種センサは有線結線されているため、住宅に設置される集中管理装置までの配線を行う必要がある。
しかし、多数のセンサを設置する場合には、この配線に手間がかかるとともに、断線防止等のメンテナンスも必要である。
また、この配線場所は生活空間から視認されづらい場所であることが望ましいため、配線場所が限定されるという問題があった。
また、配線が生活空間に露見していると、デザイン性が損なわれるという問題があった。
【００１０】
本発明は、上記事情に鑑みてなされたものであって、その目的は、住宅内各所の環境データをセンサによりサンプリングし、そのサンプリングされたデータを解析することによって、現在住宅に発生している問題点を洗い出して住宅のメンテナンスに利用することが可能な住宅モニタリングシステム、モニタリングデータ管理装置、モニタリングデータ管理方法を提供することにある。
また、本発明の他の目的は、住宅内各所の環境データをサンプリングするためのセンサと管理装置との通信を無線通信とすることによって、配線に要する手間を省くことができるとともに、センサの配設位置が限定されることのない住宅モニタリングシステム、モニタリングデータ管理装置、モニタリングデータ管理方法を提供することにある。
【課題を解決するための手段】
【００１１】
前記課題は、請求項１に記載の住宅モニタリングシステムによれば、住宅内の環境を示すデータを取得及び蓄積し、蓄積された前記データを解析することによって、住宅の環境情報を把握するための住宅モニタリングシステムであって、前記データを取得するためのセンサを備えると共に、前記センサから取得したデータを出力するセンサ付非接触式無線通信デバイスと、該センサ付非接触式無線通信デバイスから前記データを受信して格納すると共に、要求に応じて格納された前記データを出力する管理装置と、該管理装置へデータ送信を要求し、前記管理装置より前記データを受信する端末装置と、を備え、該端末装置は、前記管理装置から受信した前記データを解析する解析手段を備えることにより解決される。
【００１２】
また、前記課題は、請求項７に記載の住宅モニタリングデータ管理装置によれば、住宅内の環境を示すデータを蓄積し、前記データの送受信を行うための管理装置であって、該管理装置の動作を規定したプログラムを格納すると共に、前記データを格納する記憶装置と、
該記憶装置に格納された前記プログラムに従って処理を行う中央演算処理装置と、を少なくとも備え、前記データを取得するためのセンサを備えると共に、前記センサから取得した前記データを出力するセンサ付非接触式無線通信デバイスから、前記データを受信する受信手段と、外部から指定された条件に応じて前記データを加工する加工手段と、該加工手段により加工されたデータを外部へ送信する送信手段と、を備えることにより解決される。
【００１３】
更に、前記課題は、請求項９に記載の住宅モニタリング方法によれば、住宅内の環境を示すデータを取得及び蓄積し、蓄積された前記データを解析することによって、住宅の環境情報を把握するための住宅モニタリング方法であって、前記データを取得するためのセンサを備えると共に、前記センサから取得したデータを出力するセンサ付非接触式無線通信デバイスと、該センサ付非接触式無線通信デバイスから前記データを受信して格納すると共に、要求に応じて格納された前記データを出力する管理装置と、該管理装置へデータ送信を要求し、前記管理装置より前記データを受信する端末装置と、を少なくとも備え、前記センサ付非接触式無線通信デバイスが、前記データを取得し、前記管理装置に前記データを出力するデータ取得工程と、前記管理装置が、前記データを受信するデータ受信工程と、前記管理装置が、前記端末装置からの送信要求に応じて、前記データを前記端末装置へ出力するデータ送信工程と、前記端末装置が、前記データを受信して、前記データを解析する解析工程と、を備えることにより解決される。
【００１４】
このように、本発明に係る住宅モニタリングシステム、住宅モニタリングデータ管理装置、住宅モニタリング方法によれば、センサ付非接触式無線通信デバイスを使用し、住宅の環境を示すデータを取得及び送信している。
なお、住宅の環境を示すデータとは、センサにより測定されるデータであり、温度データ、湿度データ、含水率データ等の環境データである。
また、このセンサ付非接触式無線通信デバイスから送信されたデータは管理装置で受信され、端末装置からの要求により、管理装置から端末装置側へ送信される。
更に、端末装置側では、このデータの解析が行われる。
よって、住宅側に備えられたセンサ付非接触式無線通信装置によりサンプリングされた住宅環境を示すデータは、管理装置に送られ、管理装置側で管理される。また、この管理装置で管理されたデータは、端末装置側で解析される。
このため、住宅環境情報を管理装置で長期的に管理できると共に、端末装置によりデータ解析を行い、住宅の状況を判定することができる。
例えば、床下に湿度センサを備えた非接触式無線通信デバイスを設置しておけば、床下の湿度情報を把握することができるため、ダクト等の換気設備の必要性を検討することができる。
このように、住宅の状況を判定することによって、顧客に住宅のメンテナンスに関するアドバイスや提案を有効に行うことができる。
【００１５】
また、住宅の建築中に各所にセンサ付の非接触式無線通信デバイスを設置しておけば、住宅の環境を示すデータを判定して、その結果により仕様を変更することができる。
例えば、ＡＬＣ等を設置する部分に、含水率センサ付の非接触式無線通信デバイスを設置しておけば、ＡＬＣの含水率を把握することにより、ダクト等の換気設備の必要性を判断することができる。
このため、顧客への住宅引渡し時には、環境を示すデータを反映し、必要な設備を付加した住宅を提供することができる。
【００１６】
更に、本発明においては、環境を示すデータを取得及び送信する手段として、センサ付非接触式無線通信デバイスを使用している。
よって、このセンサ付非接触式無線通信デバイスを複数個配設しても、配線工事を行う必要がなく、設置が容易であると共に設置に要する手間が軽減される。
また、配線が必要ないため、配線が生活空間に露見せず、デザイン上も有利である。
更に、センサ付非接触式無線通信デバイスは、障害物がある場合でもデータ通信が可能であるため、天井裏や床下等においても使用することができる。
よって、設置場所が限定されず、あらゆる場所の環境を示すデータを取得することができる。
【００１７】
このとき、前記データは、前記センサ付非接触式無線通信デバイスから前記管理装置へ定期的に送信されるよう構成されているので、定期的に住宅の環境を示すデータを取得することができる。
よって、データ値の変化点を捉えることができ、詳細な解析を行うことが可能となり好適である。
【００１８】
また、このとき、前記センサ付非接触式無線通信デバイスには、固有のＩＤが割付けられており、前記ＩＤをキーとして識別されると、複数のセンサ付非接触式無線通信デバイスを使用することができるため好適である。
【００１９】
更に、このとき、前記住宅モニタリングシステムには、前記センサ付非接触式無線通信デバイスから送信される前記データを受信すると共に、前記管理装置へ送信する中継手段が備えられていると好適である。
また、本発明に係る住宅モニタリング方法の前記データ取得工程には、前記センサ付非接触式無線通信デバイスが、前記データを取得する工程と、前記非接触式無線通信デバイスから送信される前記データを受信すると共に前記管理装置へ送信する中継手段が、前記センサ付非接触式無線通信デバイスより前記データを受信する工程と、前記中継手段が、前記管理装置に前記データを送信する工程と、が備えられていると好適である。
このように、データは、中継手段により中継されて送信されるよう構成されているため、センサ付非接触式無線通信デバイスの通信可能距離が小さい場合でも、センサ付非接触式無線通信デバイスと管理装置との無線通信を行うことができるため好適である。
【００２０】
また、このとき、前記住宅内の環境とは、温度、含水率、湿度、結露、ＶＯＣから選択される少なくとも一つであるように構成されていると好適である。
更に、このとき、前記解析手段は、予め設定された基準値と前記データとを比較する処理、前記データを演算した結果と予め設定された基準値とを比較する処理、前記データの経時間変化を作成する処理、のうち少なくとも一つの処理を行うよう構成されていると、取得したデータ（若しくは、取得されたデータから演算された値）が、基準値を超えているか否かで、住宅に問題が生じているか否かがわかるため好適である。また、データの経時変化を作成することができると、データの変化状態を把握できるため、問題の発生原因を考察するための資料とすることができ、好適である。
【００２１】
さらに、本発明に係るデータ管理装置において、端末装置画管理装置にデータを要求する場合の前記条件は、日時を特定する情報、日時の範囲を特定する情報、住宅を特定する情報、前記センサ付非接触式無線通信デバイスを特定する情報、全ての前記データを指定する情報、から選択される少なくとも一つの情報であると、端末装置側は、必要なデータを効率良く取得することができるため好適である。
【発明の効果】
【００２２】
本発明によれば、センサ付の非接触式無線通信デバイスを使用し、住宅の環境を示すデータを取得及び送信している。
また、この非接触式無線通信デバイスから送信されたデータは管理装置で受信され、端末装置からの要求により、管理装置から端末装置側へ送信され、端末装置側では、このデータの解析が行われる。
よって、住宅側に備えられたセンサ付の非接触式無線通信装置によりサンプリングされた住宅環境を示すデータは、管理装置に送られ、管理装置側で一元的に管理することができる。また、この管理装置で管理されたデータは、端末装置側で解析することができる。
このため、住宅環境情報を管理装置で確実に管理できると共に、端末装置によりデータ解析を行い、住宅の状況を判定することができる。
【００２３】
例えば、床下に湿度センサを備えた非接触式無線通信デバイスを設置しておけば、床下の湿度情報を把握することができるため、ダクト等の換気設備の必要性を検討することができる。
このように、住宅の状況を判定することによって、顧客に住宅のメンテナンスに関するアドバイスや提案を有効に行うことができる。
また、住宅引渡し後の定期点検時に、当該環境を示すデータを使用して、目視で点検できない部分の評価を行うことができる。
【００２４】
また、本発明によれば、住宅の建築中に各所にセンサ付の非接触式無線通信デバイスを設置し、住宅の環境を示すデータを判定して、その結果により住宅の仕様を変更することができる。
例えば、ＡＬＣ等を設置する部分に、含水率センサ付の非接触式無線通信デバイスを設置しておけば、ＡＬＣの含水率を把握することにより、ダクト等の換気設備の必要性を判断することができる。
このため、顧客への住宅引渡し時には、環境を示すデータを反映し、必要な設備を付加した住宅を提供することができる。
【００２５】
更に、本発明においては、環境を示すデータを取得及び送信する手段として、センサを備えた非接触式無線通信デバイスを使用している。
よって、このセンサを備えた非接触式無線通信デバイスを複数個配設しても、配線工事を行う必要がなく、設置が容易であると共に設置に要する手間が軽減される。
また、配線が必要ないため、配線が生活空間に露見せず、住宅内装のデザイン上も有利である。
更に、非接触式無線通信デバイスは、障害物がある場合でもデータ通信が可能であるため、天井裏や床下等においても使用することができる。
よって、設置場所が限定されず、あらゆる場所の環境を示すデータを取得することができる。
【００２６】
また、センサ付非接触式無線通信デバイスと管理装置の間に、中継手段を設けることによって、通信可能距離が小さいセンサ付非接触式無線通信デバイスであっても、効率良くデータ通信を行うことが可能となる。
更に、センサ付非接触式無線通信デバイスにＩＤを割付けることによって、センサ付非接触式無線通信デバイスを複数使用する場合でも、効率良くデータを管理することができる。
【発明を実施するための最良の形態】
【００２７】
以下、本発明の一実施形態について、図面に基づいて説明する。なお、以下に説明する構成、部材、配置等は、本発明を限定するものではなく、本発明の趣旨の範囲内で各種改変することができるものである。
【００２８】
なお、本明細書中で「コンピュータ」とは、演算装置を備えた情報端末すべてを含む意味である。例えば、スーパーコンピュータ、汎用コンピュータ、オフィスコンピュータ、制御用コンピュータ、ワークステーション、パソコンのほか、携帯情報端末、演算装置を備えた携帯電話、ウェアラブルコンピュータ等をも含む。
なお、本実施形態においては、情報通信網としてインターネット回線１３を使用しているが、ＬＡＮ、ＷＡＮによりコンピュータを接続したプライベートの情報通信網、専用線による通信、携帯端末の公衆情報通信網、その他の公衆情報通信網によるものであってもよい。
【００２９】
本明細書中で「ＩＣタグ」とは、アンテナを備えた非接触式デバイスのことを指し、静電結合方式、電磁結合方式、電磁誘導方式、マイクロ波方式、光方式等、全ての非接触式のタグを含む。
また、本明細書中で「サンプリングデータ」とは、センサ付ＩＣタグ１２でサンプリングされ、サーバコンピュータ２１へ送信されるデータを指し、「モニタリングデータ」とは、サーバコンピュータ２１のモニタリングデータベース２１ａに格納され、サーバコンピュータ２１からクライアントコンピュータ２２に送信されるデータを指す。
なお、本実施形態においては、「環境を示すデータ」を「サンプリングデータ」と「モニタリングデータ」とに区別して使用している。
【００３０】
本実施形態は、住宅内に設置された温度センサ、含水率センサ、湿度センサ等の各種センサより定期的にサンプリングされたデータ（サンプリングデータ）を、伝送装置１１を介して住宅供給業者２の有するサーバコンピュータ２１に送信する住宅モニタリングシステムＳに関するものである。
住宅供給業者２は、受信したモニタリングデータを解析して、住宅内環境の問題点を洗い出し、住宅のメンテナンスに関するアドバイスを行う。
なお、住宅内に設置されるセンサとしては、温度センサ、含水率センサ、湿度センサに限られるものではなく、結露センサ、水漏れセンサ、震度センサ、ＶＯＣ（volatile Organic Compounds）センサ等、住宅に関するデータをサンプリングできるものであれば、どのようなセンサが使用されていてもよいし、設置個数及び設置場所等は、そのセンサがモニタするデータの性質により決定されるものであれば、特に限定されるものではない。
【００３１】
図１乃至図３により、本実施形態に係る住宅モニタリングシステムの概要を説明する。
図１は、本実施形態に係る住宅モニタリングシステムＳの構成図である。
住宅モニタリングシステムＳは、顧客１、住宅供給業者２を主要構成とする。
顧客１側には、データの送受信を行うための中継手段としての伝送装置１１、住宅環境をモニタするためのセンサ付非接触式無線通信デバイスとしてのセンサ付ＩＣタグ１２が配設され、住宅供給業者２側には、データを統括的に管理する管理装置としてのサーバコンピュータ２１、サーバコンピュータよりデータを受信して解析を行う端末装置としてのクライアントコンピュータ２２が配設されている。
また、顧客１と、住宅供給業者２とは、インターネット回線１３を介してデータを送受信することが可能となっている。
【００３２】
顧客１は、住宅供給業者２より住宅を購入した者であって、顧客１側（購入した住宅側）には、伝送装置１１、センサ付ＩＣタグ１２が配設されている。
伝送装置１１は、公知の無線データ発信装置であり、センサ付ＩＣタグ１２よりサンプリングデータを受信して、この受信したサンプリングデータを後述する住宅供給業者２側に設置されるサーバコンピュータ２１へ送信する。
つまり、伝送装置１１は、センサ付ＩＣタグ１２からサーバコンピュータ２１へのデータ通信の中継を行う。
この伝送装置１１としては、例えば、公知のモバイルアーク（商標）内蔵型の無線装置が使用される。この場合、サンプリングデータ通信は、公知の通信キャリアネットワークを使用して行われる。
【００３３】
センサ付ＩＣタグ１２は、公知のセンサ付ＩＣタグであり、適宜箇所に複数個使用される。
図２にセンサ付タグ１２の構成図を示す。
本実施形態に係るセンサ付ＩＣタグ１２は、センサ１２０、マイクロプロセッサ１２１、クロック発振部１２２、通信部１２３、Ａ/Ｄ変換器１２４、メモリ１２５、を主要構成とする。
なお、本実施形態に係るセンサ付ＩＣタグ１２には、内部に図示しない電池等の駆動源が備えられている。
【００３４】
センサ１２０は、公知のセンサであり、本実施形態では、温度を計測する温度センサ、含水率を計測する含水率センサ、湿度を計測する湿度センサが使用されている。
温度センサは、公知の非接触式温度センサが用いられている。
非接触式センサは、公知の放射温度計等であり、赤外線や赤外線の光量子を測定することにより温度を測定する。
しかし、温度センサは、非接触式温度計に限られるものではなく、接触式温度計を使用してもよい。
【００３５】
含水率センサは、公知のロードセル型含水率センサが用いられている。
この含水率センサは、含水率の変化による材料の重量変化を検出することにより含水率を測定する。
湿度センサは、公知のインピーダンス変化型湿度センサが用いられている。
この湿度センサは、湿度の変化によるセンサ材料の電気伝導率変化に伴う抵抗値変化を検出することにより湿度を測定する。
しかし、湿度センサはインピーダンス変化型湿度センサに限られるものではなく、静電容量変化型湿度センサ等の他の公知の湿度センサを使用してもよい。
【００３６】
なお、センサ類は、これらに限られるものではなく、公知の電気抵抗式結露センサや水晶振動子式結露センサ又は光学式結露センサ、公知の電極線式水漏れセンサ、公知の非サイズモ系電気式（機械式）震度センサ又は公知のサイズモ系電機式（機械式）震度センサ、公知の超高感度熱線型半導体式ＶＯＣセンサ又は高分子薄膜式ＶＯＣセンサ等のセンサを必要に応じて使用することができる。
【００３７】
マイクロプロセッサ１２１は、公知のプロセッサであり、センサ付ＩＣタグ１２の動作全体を制御する。
クロック発振部１２２は、公知のクロック発振部であり、マイクロプロセッサ１２１の基本クロックやデータサンプリングクロックを発振する。
通信部１２３は、データの無線通信を行うためのものであり、アンテナ１２３ａを有して構成されている。
Ａ/Ｄ変換器１２４は、公知のアナログ／デジタル変換器であり、センサから検出されたアナログデータをデジタルデータへ変換する。
メモリ１２５は、ＲＡＭ等の公知の記憶装置であり、Ａ／Ｄ変換器１２４でデジタル変換されたデータを記憶する。
【００３８】
マイクロプロセッサ１２１は、クロック発振部１２２から発振されるサンプリングクロックに応じて、センサ１２０よりデータを定期的にサンプリングする。
なお、このサンプリングは常時行ってもよい。
サンプリングされたアナログデータは、Ａ／Ｄ変換器１２４でデジタル変換され、メモリ１２５に一時的に格納される。
【００３９】
メモリ１２５に格納されたサンプリングデータは、通信部１２３に送られて、通信部１２３から、そのセンサ付ＩＣタグ１２に固有のＩＤと共に、伝送装置１１に送信される。
なお、センサ１２０からのアナログデータの収集方法及びサンプリングデータの送信方法は、これに限られるものではなく、目的に応じて適宜変更することができる。
例えば、サンプリングデータの送信タイミングを、センサ１２０からのアナログデータ収集タイミングより長く設定しておき、メモリ１２５に複数のデータを格納して、これら複数のデータを同時に伝送装置１１に送信してもよい。
【００４０】
また、センサ付ＩＣタグ１２から自発的にサンプリングデータを送信する方法に限らず、外部からの送信要求により、サンプリングデータを送信するように構成されていてもよい。
更に、本実施形態に係るセンサ付ＩＣタグ１２は、内部に電池等の駆動源を設けているが、電磁誘導型のＩＣタグを使用して構成してもよい。
この場合には、定期的に外部より誘導される駆動源によってデータのサンプリング及びサンプリングデータの送信が行われる。
【００４１】
図３に、住宅内にセンサ付ＩＣタグ１２の配置説明図を示す。
なお、このセンサ付ＩＣタグ１２の配置は、一例であり、これに限られるものではない。
センサ付ＩＣタグ１２の設置個数、設置箇所等は、サンプリングしたいデータの性質に応じて住宅毎に適宜選択されるものである。
【００４２】
図３に示すように、本実施形態においては、センサ付ＩＣタグ１２を必要箇所に設置する。
説明の便宜上、天井裏に設置されたセンサ付ＩＣタグをセンサ付ＩＣタグ１２ａと記し、このセンサ付ＩＣタグ１２ａには温度センサが搭載されている。
また、２階壁側に設置されたセンサ付ＩＣタグをセンサ付ＩＣタグ１２ｂ、１階壁側に設置されたセンサ付ＩＣタグをセンサ付ＩＣタグ１２ｃと記す。このセンサ付ＩＣタグ１２ｂ、１２ｃには温度センサが搭載されている。
【００４３】
更に、２回の床下に設置されたセンサ付ＩＣタグをセンサ付ＩＣタグ１２ｄと記し、このセンサ付ＩＣタグ１２ｄには含水率センサが搭載されている。
また、１階床下に設置されたセンサ付ＩＣタグをセンサ付ＩＣタグ１２ｅと記し、このセンサ付ＩＣタグ１２ｅには湿度センサが搭載されている。
センサ付ＩＣタグ１２ａ、１２ｂ、１２ｃ、１２ｅは、サンプリングクロックに従い、定期的に温度、湿度、含水率を計測し、デジタルデータに変換されたサンプリングデータを伝送装置１１へ送信する。
【００４４】
センサ付ＩＣタグ１２ｄは、ＡＬＣ（Autoclaved Lightweight aerated Concrete）で構成された床板の下面に設置され、ＡＬＣから受ける荷重の変化によりＡＬＣの含水率を計測する。
ＡＬＣとは、発泡軽量コンクリート板であり、珪石、セメント、生石灰、発泡性アルミニウム粉末、安定剤、水等を混合し、オートクレーブ養生することにより形成される。
ＡＬＣは一般的な市販品であるため比較的安価で、火災時に有毒ガスを発生しない優良な材料であるが、水分を吸収しやすい材料であるという問題点がある。
このため、センサ付ＩＣタグ１２ｄにより、含水率を計測し、換気のための設備の必要性を検討することができる。
【００４５】
また、住宅建築時にこのセンサ付ＩＣタグ１２ｄを設置しておけば、含水率の経時変化を把握することができるので、ＡＬＣの水分が蒸発したことを把握することができ、仕上げ時期を簡易に認識することができるとともに、建築段階において換気のための設備の必要性を検討することができる。
【００４６】
なお、本実施形態においては、図３に示すように、センサ付ＩＣタグ１２ａ〜１２ｅを設置したが、設置場所、設置個数、搭載されるセンサの種類は、これに限定されるものではなく、住宅のサイズ、構造等に応じて適宜選択することができる。
また、本実施形態においては、送信装置１１を１個使用しているが、これに限られることはなく、住宅のサイズ、構造、センサ付ＩＣタグ１２の性能等に応じて、設置個数は適宜選択される。
更に、送信装置１１の設置場所は、特に限定されるものではないが、簡易にメンテナンスができるような場所に設置されていることが望ましい。
【００４７】
図１に示す住宅供給業者２は、一般的な住宅建築販売メーカーであって、住宅及び住宅関連商品等の受注、販売、建築、アフターケア等、住宅に関する業務を総合的に行う。
なお、本実施形態では、住宅供給業者１を、一般的な住宅建築販売メーカーとして構成しているが、設計事務所、住宅建築販売メーカーから委託された業者として構成してもよい。
【００４８】
住宅供給業者２には、本実施形態の住宅モニタリングシステムにおける各データを統括的に管理するサーバコンピュータ２１が設置されている。
このサーバコンピュータ２１は、顧客１の住宅内に設置される伝送装置１１とインターネット回線１３を介して接続されている。
【００４９】
サーバコンピュータ２１は、住宅供給業者２内に配設されるクライアントコンピュータ２２と接続されており、顧客１の住宅内に設置された各センサ付ＩＣタグ１２から送信されてきたサンプリングデータは住宅番号毎のレコードに振分けられ、モニタリングデータとしてモニタリングデータベース２１ａに格納される。
モニタリングデータベース２１ａに格納されているモニタリングデータは、クライアントコンピュータ２２からの要求に応じて送信される。
【００５０】
クライアントコンピュータ２２では、サーバコンピュータ２１から受信したモニタリングデータを解析して顧客１の住宅環境を診断する。
住宅環境が診断されると、住宅供給業者２側では、定期的に診断カルテを作成して顧客１へ提供したり、住宅環境の問題点を解消するための適切なアドバイスを顧客へ提供する。
また、定期点検時の資料とすることもできる。
【００５１】
なお、クライアントコンピュータ２２で、診断カルテを自動作成し、インターネット回線１３を介して顧客１側に設置されるパーソナルコンピュータ等に診断カルテを送信するように構成してもよいし、クライアントコンピュータ２２で作成した診断カルテをサーバコンピュータ２１へ送信し、サーバコンピュータ２１からインターネット回線を介して顧客１側に設置されるパーソナルコンピュータ等に診断カルテを送信するように構成されていてもよい。
【００５２】
また、クライアントコンピュータ２２での診断結果や診断カルテを、住宅供給業者２側に設置される営業部門やアフターケア部門等にイントラネット等を使用して送信するように構成されていてもよい。
営業部門やアフターケア部門では、これら診断結果等を検討して、顧客１を訪問したり、電話、電子メール等の通信手段により顧客１にアドバイスを行う等のサービスを行うことができる。
なお、本実施形態では、クライアントコンピュータ２２を住宅供給業者２内に設置したが、このような構成に限られることはなく、住宅のアフターケアを請負う別組織に設置されていてもよい。
【００５３】
次いで、図４によりコンピュータのハード構成を説明する。
まず、図４を参照し、本実施形態に係る住宅モニタシステムを統括的に管理するサーバコンピュータ２１の構成を説明する。
サーバコンピュータ２１は、公知のコンピュータであり、データの受信、加工、蓄積、出力を行い、住宅供給業者２に設置される。
サーバコンピュータ２１は、データの演算・制御を行う中央演算処理装置としてのＣＰＵ３２、記憶装置であるＨＤＤ３３、ＲＯＭ３４、ＲＡＭ３５、通信装置３６、記憶媒体装置３７、キーボード及び表示装置等を備えている。
【００５４】
ＣＰＵ３２は、ＲＯＭ３４又はＨＤＤ３３に記憶されているプログラムにしたがって各種の処理を実行するように構成され、各機能構成群の動作管理や各信号の入出力制御など、所定の処理を実行するための中枢的役割を担うものである。
ＲＡＭ３５には、ＣＰＵ３２が各種処理を実行する上において必要なデータなどが適宜記憶される。
【００５５】
入力装置であるキーボードとマウスは、ＣＰＵ３２に所定の指令を入力するときに適宜操作される。
更に、表示装置、プリンタには、所定の書式で表示される情報、画像等が出力表示される。
【００５６】
記憶媒体装置３７は、外付けハードディスク、光磁気ディスク、ＣＤ−Ｒ、ＤＶＤ、メモリスティック等により構成されている。
通信装置３６は、インターネット回線１３に対してデータを送信し、またインターネット回線１３を介して受信されたデータを適宜記憶する。
【００５７】
ＨＤＤ３３には、各顧客１の住宅毎のモニタリングデータが格納されたモニタリングデータベース２１ａが格納されている。
図５に、モニタリングデータベース２１ａのファイル構成の一例を示す。
モニタリングデータベース２１ａのファイルには、住宅番号、センサＩＤ、サンプリング日時、サンプリング値、等の住宅環境データが、住宅番号毎のレコードとして登録されている。
【００５８】
なお、モニタリングデータベース２１ａに登録されたモニタリングデータは、クライアントコンピュータ２２からの送信要求に応じて送信される。
また、クライアントコンピュータ２２からは、日時を特定する情報、日時の範囲を特定する情報、住宅を特定する情報、前記センサ付非接触式無線通信デバイスを特定する情報、全ての前記データを指定する情報等の条件を指定して送信要求を行うことができる。
この場合には、サーバコンピュータ２１は、条件に適合するデータのみを抽出してクライアントコンピュータ２２へ送信する。
【００５９】
また、各センサの情報は、モニタリングデータベース２１ａの図示しない他のファイルに、住宅番号毎のレコードとして登録されており、住宅番号をキーとして抽出されて、モニタリングデータとともにクライアントコンピュータ２２へ送信される。
本実施形態に係る各センサ情報は、センサ種類、設置位置、設置年月日、交換時期等の情報として構成されている。
なお、クライアントコンピュータ２２のハード構成は、上記サーバコンピュータ２１のハード構成と同様である。
また、本実施形態においては、情報通信網としてインターネット回線１３を利用したが、ＬＡＮ、ＷＡＮにより接続したプライベートの情報通信網、専用線による通信、その他の公衆情報通信網によるものであってもよい。
【００６０】
次に、図６乃至図８により、本実施形態に係る住宅モニタリングシステムの各処理を説明する。
図６は、センサ付ＩＤタグ１２の処理を示す。
図６は、クロック発振部１２２から発振されるクロックに従って、センサ付ＩＤ１２タグに備えられたセンサからその時点のセンサ値が読取られ、外部へ送信されるまでの処理を示すフローチャートである。
図６のフローチャートの処理は、センサ付ＩＣタグに搭載されたマイクロプロセッサ１２１で制御されている。
【００６１】
処理がスタートすると、ステップＳ６１でサンプリング時間か否かを判定する。
サンプリングデータを取得する時間であるサンプリング時間は、センサ付ＩＣタグ１２に備えられるクロック発振部１２２から発振されるクロックで監視される。
例えば、本実施形態においては、サンプリングは３０分毎に行うよう設定されており、正時及び各時間３０分にサンプリングが行われる。
但し、サンプリング時間はこれに限られることはなく、取得するサンプリングデータの使用目的及び性質に応じて適宜変更することができる。
【００６２】
サンプリング時間でなければ（ステップＳ６１：Ｎｏ）、ステップＳ６２で所定時間が経過したか否かを判定する。
この所定時間は、例えば、前回サンプリングを行った時間を始点とし、タイマーにより監視されている。
例えば、サンプリング時間の間隔が３０分に設定されているのであれば、３０分３０秒等に設定すると良い。
ステップＳ６２で所定時間が経過したと判定すれば（ステップＳ６２：Ｙｅｓ）、ステップＳ６３でエラー表示を行い、処理を終了する。
【００６３】
これは、今回のサンプリングが行われるべき時間が経過しているにも係わらずサンプリングが行われないということであり、なんらかの不具合が発生している可能性が高いため、エラーを表示し処理を終了することとしたものである。
エラー表示は、センサ付ＩＣタグ１２に備えられた警報灯を点灯するように構成されていても良いし、センサ付ＩＣタグ１２に液晶表示装置を備えて、エラー表示を行ってもよい。また、ステップ６３でエラーを表示した後、エラー情報を伝送装置１１を介してサーバコンピュータ２１に送信しても良い。
ステップＳ６２で所定時間が経過していないと判定すれば（ステップＳ６２：Ｎｏ）、処理はステップＳ６１に戻り、サンプリング時間か否かを判定する。
【００６４】
ステップＳ６１でサンプリング時間であると判定した場合（ステップＳ６１：Ｙｅｓ）、ステップＳ６４で現時点のセンサ値を取得する。
次いで、ステップＳ６５でセンサ値をデジタル変換し、ステップＳ６６でデジタル変換されたサンプリング値をセンサＩＤと共に伝送装置１１へ送信する。
センサ付ＩＣタグ１２は、このような処理を繰り返し、所定時間毎にサンプリングデータ及び自己のセンサＩＤを伝送装置１１に送信する。
伝送装置１１は、センサ付ＩＣタグ１２より受信したサンプリングデータ及びセンサＩＤを、インターネット回線１３を介して、サーバコンピュータ２１へ送信する。
【００６５】
次いで、図７によりサーバコンピュータ２１の処理を説明する。
サーバコンピュータ２１の処理は、ＣＰＵ３２により制御されている。
処理がスタートすると、ステップＳ７１でサンプリングデータを受信したか否かを判定する。
【００６６】
ステップＳ７１でサンプリングデータを受信したと判定した場合（ステップＳ７１：Ｙｅｓ）、ステップＳ７２でサンプリングデータを住宅番号毎に振分け、モニタリングデータベース２１ａに格納して、最初のステップから処理を繰り返す。
【００６７】
サンプリングデータを受信していないと判定した場合（ステップＳ７１：Ｎｏ）、ステップＳ７３で、クライアントコンピュータ２２からデータのアクセスがあるか否かを判定する。
本実施形態においては、サーバコンピュータ２１が、最新のデータをクライアントコンピュータ２２に送信することができるように、サンプリングデータの受信を優先して行っている。
【００６８】
ステップＳ７３でクライアントコンピュータ２２からのアクセスがあると判定した場合（ステップＳ７３：Ｙｅｓ）、ステップＳ７４で、モニタリングデータベース２１ａに格納されたモニタリングデータ及びセンサ情報をクライアントコンピュータ２２へ送信し、最初のステップから処理を繰り返す。
【００６９】
クライアントコンピュータ２２からのアクセスがないと判定した場合（ステップＳ７３：Ｎｏ）、ステップＳ７５で所定時間が経過したか否かを判定する。
この所定時間は、例えば、前回サンプリングを行った時間を始点とし、タイマーにより監視されている。
例えば、サンプリング時間の間隔が３０分に設定されているのであれば、３０分３０秒等に設定すると良い。
ステップＳ７４で所定時間が経過したと判定すれば（ステップＳ７５：Ｙｅｓ）、ステップＳ７６でエラー表示を行い、処理を終了する。
【００７０】
これは、次回のサンプリングデータが送信されてくるべき時間が経過しているにも係わらずサンプリングが行われないということであり、通信エラー等なんらかの不具合が発生している可能性が高いため、エラーを表示し処理を終了することとしたものである。
エラー表示は、サーバコンピュータ２１の画面に表示するように構成されていてもよいし、警報灯を点灯するように構成されていても良い。
また、クライアントコンピュータ２２へ、エラーメッセージを送信するように構成されていてもよい。
【００７１】
ステップＳ７５で所定時間が経過していないと判定すれば（ステップＳ７５：Ｎｏ）、処理はステップＳ７１に戻り、サンプリングデータを受信したか否かを判定する。
このように、サーバコンピュータ２１は、伝送装置１１から伝送されてきたサンプリングデータを受信して、モニタリングデータベース２１ａに住宅番号毎のレコードとして格納する。
また、クライアントコンピュータ２２からのデータ送信要求に応じて、モニタリングデータを送信する。このとき、クライアントコンピュータ２２から指定された条件（住宅番号の指定、期間指定、特定のセンサ付ＩＣタグの指定等）でモニタリングデータをクライアントコンピュータ２２に送信するよう構成することもできる。
このときサーバコンピュータ２１は、モニタリングデータとともにセンサ情報をクライアントコンピュータ２２へ送信する。
センサ情報とは、センサＩＤをデコードするための情報であり、センサの設置場所及び測定データ種（温度、湿度、水分含量等）等を特定するものである。
【００７２】
次いで、図８によりクライアントコンピュータ２２の処理を説明する。
クライアントコンピュータ２２の処理は、図示しないＣＰＵにより制御されている。
処理は、サーバコンピュータ２１へモニタリングデータ送信要求を行うことによりスタートする。このとき、住宅番号等の条件（期間指定、特定のセンサ付ＩＣタグの指定等）を指定してデータ送信要求を行うことができる。
【００７３】
処理がスタートすると、ステップＳ８１でモニタリングデータ及びセンサ情報の受信が完了したか否かを判定する。
モニタリングデータ及びセンサ情報の受信が完了していないと判定した場合（ステップＳ８１：Ｎｏ）、ステップＳ８２で所定時間が経過したか否かを判定する。
所定時間が経過したと判定した場合（ステップＳ８２：Ｙｅｓ）、ステップＳ８３でエラー表示を行い処理を終了する。
【００７４】
この所定時間は、モニタリングデータの伝送が完了するために十分な時間が設定されている。
所定時間が経過したと判定した場合というのは、モニタリングデータを受信するための十分な時間が設定されているにも関らず、モニタリングデータの受信が完了していないということであり、なんらかの通信異常が発生している可能性があるため、処理を終了することとしたものである。
エラー表示の方法は、クライアントコンピュータ２２のＣＲＴ画面にエラーを表示してもよいし、警報・警告灯等が使用されていてもよい。
【００７５】
ステップＳ８２で所定時間が経過していないと判定した場合（ステップＳ８２：Ｎｏ）、処理はステップＳ８１に戻り、モニタリングデータ及びセンサ情報の受信が完了したか否かを判定する。
ステップＳ８１で、モニタリングデータ及びセンサ情報の受信が完了したと判定した場合、ステップＳ８４で評価処理を行い、処理を終了する。
【００７６】
解析手段が行う評価処理とは、住宅の状態を評価するための処理である。
例えば、温度情報の場合には、部屋の内壁面に備えられたセンサ付ＩＣタグ１２ｂ及びセンサ付ＩＣタグ１２ｃから取得することができる部屋内部の温度情報と、外気温情報とから部屋内外の温度差を演算することができる。
この温度差が予め設定された基準値以上の状態が長期間続いている場合には結露が発生している可能性があると判断して、警告表示を行うことができる。
また、例えば、湿度情報の場合には、床下に備えられたセンサ付ＩＣタグ１２ｅから取得したデータと予め設定された湿度基準値とを比較することができる。この取得したデータ値が予め設定された湿度基準値を超えている場合には、高湿度状態が床下を劣化させているおそれがあると判断することができる。
【００７７】
また、ＡＬＣ下部に設置された含水率センサを備えたセンサ付ＩＣタグ１２ｄから送信されたデータより含水率のトレンド（経時変化）を取得することができ、ＡＬＣの含水率が高くなればＡＬＣ劣化の可能性があるとして警告表示を行うことができるし、この結果よりダクト等の換気設備の必要性を顧客へ指摘することができる。
【００７８】
更に、このようなセンサ付ＩＣタグ１２ｄを、住宅建設中に設置し、含水率のトレンドを取得すれば、住宅建設中にダクト等の換気設備の必要性を検討することが可能になり、必要であれば、顧客引渡の前にダクトの追加等の処置を施すことが可能となる。
また、天井裏に設置されたセンサ付ＩＣタグ１２ａ及び床下に設置されたセンサ付ＩＣタグ１２ｅを使用すれば、隠蔽箇所のデータを簡易に取得することができる。
よって、従来の定期点検時には点検が困難であった部分の状態をリアルタイムに把握することができる。
これらセンサ付ＩＣタグ１２ａ及びセンサ付ＩＣタグ１２ｅに備えられるセンサは、温度センサ、湿度センサ等、取得したい情報に応じたセンサが単数又は複数選択される。
【００７９】
本システムは、例えば、住宅供給業者２が、自社の住宅を購入した顧客に対するアフターサービスを行うために利用することができる。
また、住宅建築中に換気設備等の必要性を検討するために利用することもできる。
本システムを利用して、住宅の状態を確実に把握することができるとともに、早期に住宅の劣化を防止するための提案を行うことができる。
このことは、自社製品の価値を高めるとともに、宣伝効果を向上させることにもつながる。
【図面の簡単な説明】
【００８０】
【図１】本発明の一実施形態に係る住宅モニタリングシステムの構成図である。
【図２】本発明の一実施形態に係るセンサ付ＩＣタグの構成図である。
【図３】本発明の一実施形態に係るセンサ付ＩＣタグの配置位置を示す説明図である。
【図４】本発明の一実施形態に係るサーバコンピュータの構成図である。
【図５】本発明の一実施形態に係るモニタリングデータベースに格納されるファイル構成図である。
【図６】本発明の一実施形態に係るセンサ付ＩＣタグの処理を示すフローチャートである。
【図７】本発明の一実施形態に係るサーバコンピュータの処理を示すフローチャートである。
【図８】本発明の一実施形態に係るクライアントコンピュータの処理を示すフローチャートである。
【符号の説明】
【００８１】
１  顧客
２  住宅供給業者
１１  中継手段（伝送装置）
１２  センサ付非接触式無線通信デバイス（センサ付ＩＣタグ）
１３  インターネット回線
２１  管理装置（サーバコンピュータ）
２１ａ  モニタリングデータベース
２２  端末装置（クライアントコンピュータ）
３２  中央演算処理装置（ＣＰＵ）
３３  記憶装置（ＨＤＤ）
３４  ＲＯＭ
３５  ＲＡＭ
３６  受信手段、送信手段（通信装置）
３７  記憶媒体装置
１２０  センサ
１２１  マイクロプロセッサ
１２２  クロック発振部
１２３  通信部
１２３ａ  アンテナ
１２４  Ａ／Ｄ変換器
１２５  メモリ
Ｓ  住宅モニタリングシステム
【図１】
2006243979.tif 000003
【図２】
2006243979.tif 000004
【図３】
2006243979.tif 000005
【図４】
2006243979.tif 000006
【図５】
2006243979.tif 000007
【図６】
2006243979.tif 000008
【図７】
2006243979.tif 000009
【図８】
2006243979.tif 000010